(57)【特許請求の範囲】
【請求項１】
無線通信の方法であって、前記方法はユーザ機器が実行し、
近隣セルからの干渉基準信号を除去した後に、チャネル状態フィードバック値を決定することと、
前記近隣セルが期間内にデータを送信するであろうと判定することと、
前記近隣のセルが前記期間内にデータを送信すると判定された場合、前記除去された干渉基準信号に対応する成分を含む、前記期間のための、調節されたチャネル状態フィードバックを生成することと、
を備える方法。
【請求項２】
前記チャネル状態フィードバック値はさらに、第２の近隣セルからの第２の干渉基準信号を除去した後に決定され、
前記方法はさらに、
前記第２の近隣セルが前記期間内にデータを送信するか否かを判定することと、
前記第２の近隣セルが前記期間内にデータを送信すると判定された場合、前記除去された第２の干渉基準信号に対応する成分を含む、前記期間のための調節されたチャネル状態フィードバック値を生成することと、
を備える、請求項１に記載の方法。
【請求項３】
前記近隣セルが前記期間内にデータを送信するであろうと判定することは、
前記近隣セルの半固定的なリソース区分情報を取得することと、
前記近隣セルが前記期間内にデータを送信することを示すインジケーションを、前記近隣セルのブロードキャスト信号から受信することと、
前記近隣セルに関して取得されたセル識別子に関連付けられた電力クラスを識別し、前記セル識別子に関連付けられた電力クラスを、サービス提供セル電力クラスと比較し、前記電力クラスと、前記サービス提供セル電力クラスとが、同じクラスであることに応じて、前記近隣セルが前記期間内にデータを送信していると判定することと、
のうちの１つを備える、請求項１に記載の方法。
【請求項４】
前記調節されたチャネル状態フィードバック値を、サービス提供セルへ送信すること、をさらに備える請求項１に記載の方法。
【請求項５】
前記調節されたチャネル状態フィードバック値を用いて信号品質メトリックを生成することと、
前記信号品質メトリックをサービス提供セルへ送信することと、
をさらに備える請求項１に記載の方法。
【請求項６】
無線通信のために構成されたユーザ機器（ＵＥ）であって、
近隣セルからの干渉基準信号を除去した後に、チャネル状態フィードバック値を決定する手段と、
前記近隣セルが期間内にデータを送信するであろうと判定する手段と、
前記近隣のセルが前記期間内にデータを送信すると判定された場合、前記除去された干渉基準信号に対応する成分を含む、前記期間のための、調節されたチャネル状態フィードバックを生成する手段と、
を備えるユーザ機器。
【請求項７】
前記チャネル状態フィードバック値はさらに、第２の近隣セルからの第２の干渉基準信号を除去した後に決定され、
前記ユーザ機器はさらに、
前記第２の近隣セルが前記期間内にデータを送信するか否かを判定する手段と、
前記第２の近隣セルが前記期間内にデータを送信すると判定された場合、前記除去された第２の干渉基準信号に対応する成分を含む、前記期間のためのチャネル状態フィードバック値を生成する手段と、
を備える、請求項６に記載のユーザ機器。
【請求項８】
前記近隣セルが前記期間内にデータを送信するであろうと判定する手段は、
前記近隣セルの半固定的なリソース区分情報を取得する手段と、
前記近隣セルが前記期間内にデータを送信することを示すインジケーションを、前記近隣セルのブロードキャスト信号から受信する手段と、
前記近隣セルに関して取得されたセル識別子に関連付けられた電力クラスを識別し、前記セル識別子に関連付けられた電力クラスを、サービス提供セル電力クラスと比較し、前記電力クラスと、前記サービス提供セル電力クラスとが、同じクラスであることに応じて、前記近隣セルが前記期間内にデータを送信していると判定する手段と、
のうちの１つを備える、請求項６に記載のユーザ機器。
【請求項９】
前記調節されたチャネル状態フィードバック値を、サービス提供セルへ送信する手段、をさらに備える請求項６に記載のユーザ機器。
【請求項１０】
前記調節されたチャネル状態フィードバック値を用いて信号品質メトリックを生成する手段と、
前記信号品質メトリックをサービス提供セルへ送信する手段と、
をさらに備える請求項６に記載のユーザ機器。
【請求項１１】
無線ネットワークにおける無線通信のためのコンピュータ・プログラムであって、
コンピュータに、
近隣セルからの干渉基準信号を除去した後に、チャネル状態フィードバック値を決定することと、
前記近隣セルが期間内にデータを送信するであろうと判定することと、
前記近隣のセルが前記期間内にデータを送信すると判定された場合、前記除去された干渉基準信号に対応する成分を含む、前記期間のための、調節されたチャネル状態フィードバックを生成することと、
を実行させるプログラムコードを備える、コンピュータ・プログラム。
【請求項１２】
前記チャネル状態フィードバック値はさらに、第２の近隣セルからの第２の干渉基準信号を除去した後に決定され、
前記コンピュータ・プログラムはさらに、前記コンピュータに、
前記第２の近隣セルが前記期間内にデータを送信するか否かを判定することと、
前記第２の近隣セルが前記期間内にデータを送信すると判定された場合、前記除去された第２の干渉基準信号に対応する成分を含む、前記期間のためのチャネル状態フィードバック値を生成することと、
を実行させるプログラムコードを備える、請求項１１に記載のコンピュータ・プログラム。
【請求項１３】
前記近隣セルが前記期間内にデータを送信するであろうと判定することは、
前記近隣セルの半固定的なリソース区分情報を取得することと、
前記近隣セルが前記期間内にデータを送信することを示すインジケーションを、前記近隣セルのブロードキャスト信号から受信することと、
前記近隣セルに関して取得されたセル識別子に関連付けられた電力クラスを識別し、前記セル識別子に関連付けられた電力クラスを、サービス提供セル電力クラスと比較し、前記電力クラスと、前記サービス提供セル電力クラスとが、同じクラスであることに応じて、前記近隣セルが前記期間内にデータを送信していると判定することと、
のうちの１つを備える、請求項１１に記載のコンピュータ・プログラム。
【請求項１４】
前記コンピュータに、前記調節されたチャネル状態フィードバック値を、サービス提供セルへ送信させるプログラム・コードをさらに備える、請求項１１に記載のコンピュータ・プログラム。
【請求項１５】
前記コンピュータに、前記調節されたチャネル状態フィードバック値を用いて信号品質メトリックを生成させるプログラム・コードと、
前記コンピュータに、前記信号品質メトリックをサービス提供セルへ送信させるプログラム・コードと、
をさらに備える請求項１１に記載のコンピュータ・プログラム。
【請求項１６】
無線通信のために構成されたユーザ機器（ＵＥ）であって、
少なくとも１つのプロセッサと、
前記少なくとも１つのプロセッサに接続されたメモリとを備え、
前記少なくとも１つのプロセッサは、
近隣セルからの干渉基準信号を除去した後に、チャネル状態フィードバック値を決定することと、
前記近隣セルが期間内にデータを送信するであろうと判定することと、
前記近隣のセルが前記期間内にデータを送信すると判定された場合、前記除去された干渉基準信号に対応する成分を含む、前記期間のための、調節されたチャネル状態フィードバックを生成することと、
を実行するように構成された、ユーザ機器。
【請求項１７】
前記チャネル状態フィードバック値はさらに、第２の近隣セルからの第２の干渉基準信号を除去した後に決定され、
前記少なくとも１つのプロセッサはさらに、
前記第２の近隣セルが前記期間内にデータを送信するか否かを判定することと、
前記第２の近隣セルが前記期間内にデータを送信すると判定された場合、前記除去された第２の干渉基準信号に対応する成分を含む、前記期間のためのチャネル状態フィードバック値を生成することと、
を実行するように構成された、請求項１６に記載のユーザ機器。
【請求項１８】
前記少なくとも１つのプロセッサが、前記近隣セルが前記期間内にデータを送信するであろうと判定するための構成は、
前記近隣セルの半固定的なリソース区分情報を取得することと、
前記近隣セルが前記期間内にデータを送信することを示すインジケーションを、前記近隣セルのブロードキャスト信号から受信することと、
前記近隣セルに関して取得されたセル識別子に関連付けられた電力クラスを識別し、前記セル識別子に関連付けられた電力クラスを、サービス提供セル電力クラスと比較し、前記電力クラスと、前記サービス提供セル電力クラスとが、同じクラスであることに応じて、前記近隣セルが前記期間内にデータを送信していると判定することと、
のうちの１つのための構成を備える、請求項１６に記載のユーザ機器。
【請求項１９】
前記少なくとも１つのプロセッサはさらに、前記調節されたチャネル状態フィードバック値を、サービス提供セルへ送信するように構成された、請求項１６に記載のユーザ機器。
【請求項２０】
前記少なくとも１つのプロセッサはさらに、前記調節されたチャネル状態フィードバック値を用いて信号品質メトリックを生成し、前記信号品質メトリックをサービス提供セルへ送信するように構成された、請求項１６に記載のユーザ機器。
【発明の詳細な説明】
【関連出願に対する相互参照】
【０００１】
本願は、全体が本明細書において参照によって明確に組み込まれている２０１０年２月１９日出願の「干渉除去を容易にするためのシステム、装置、および方法」（SYSTEMS, APPARATUS AND METHODS TO FACILITATE INTERFERENCE CANCELLATION）と題された米国仮出願６１／３０６，４１８号の利益を主張する。
【技術分野】
【０００２】
本開示のある態様は、一般に、無線通信システムに関し、さらに詳しくは、共通基準信号干渉除去を用いて、システムにおけるチャネル状態フィードバックを計算することに関する。
【背景技術】
【０００３】
無線通信ネットワークは、例えば音声、ビデオ、パケット・データ、メッセージング、ブロードキャスト等のようなさまざまな通信サービスを提供するために広く配置されている。これら無線ネットワークは、利用可能なネットワーク・リソースを共有することにより、複数のユーザをサポートすることができる多元接続ネットワークでありうる。通常は多元接続ネットワークであるこのようなネットワークは、利用可能なネットワーク・リソースを共有することによって、複数のユーザのための通信をサポートする。
【０００４】
このようなネットワークの１つの例は、ユニバーサル地上ラジオ・アクセス・ネットワーク（ＵＴＲＡＮ）である。ＵＴＲＡＮは、第３世代パートナシップ計画（３ＧＰＰ）によってサポートされている第３世代（３Ｇ）モバイル電話技術である、ユニバーサル・モバイル・テレコミュニケーション・システム（ＵＭＴＳ）の一部として定義されているラジオ・アクセス・ネットワーク（ＲＡＮ）である。このような多元接続ネットワーク・フォーマットの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングル・キャリアＦＤＭＡ（ＳＣ−ＦＤＭＡ）ネットワークを含む。
【０００５】
無線通信ネットワークは、多くのユーザ機器（ＵＥ）のための通信をサポートしうる多くの基地局またはノードＢを含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【０００６】
基地局は、ダウンリンクでＵＥへデータおよび制御情報を送信し、および／または、アップリンクでＵＥからデータおよび制御情報を受信しうる。ダウンリンクでは、基地局からの送信が、近隣の基地局からの、または、その他の無線ラジオ周波数（ＲＦ）送信機からの送信による干渉に遭遇しうる。アップリンクでは、ＵＥからの送信が、近隣の基地局と通信する別のＵＥのアップリンク送信からの、または、別の無線ＲＦ送信機からの干渉に遭遇しうる。この干渉は、ダウンリンクとアップリンクとの両方のパフォーマンスを低下させうる。
【０００７】
モバイル・ブロードバンド・アクセスに対する需要が増加し続けると、ＵＥが長距離無線通信ネットワークにアクセスすることや、短距離無線システムがコミュニティにおいて展開されることとともに、干渉および混雑したネットワークの可能性が高まる。研究開発は、モバイル・ブロードバンド・アクセスのための増加する需要を満たすためのみならず、モバイル通信とのユーザ経験を進化および向上させるために、ＵＭＴＳ技術を進化させ続けている。
【発明の概要】
【０００８】
本開示のさまざまな態様は、共通基準信号干渉除去を用いてイネーブルされるＵＥに向けられる。このようなＵＥは未だに、除去された任意の干渉元の近隣信号を考慮して、チャネル状態フィードバック値を計算しうる。近隣セルが、チャネル状態フィードバック値が計算されている時間またはサブフレーム内で、データを送信しているものと判定された場合、ＵＥは、これら除去された干渉信号を考慮して、チャネル状態フィードバック値を導出することができる。ＵＥは、近隣セルの送信スケジュールを示す信号を取得することによって、または、例えば近隣セルの電力クラスに基づいて送信スケジュールを検出することの何れかによって、おのおのの近隣セルが、指定された時間またはサブフレーム内で送信しているかを判定する。ＵＥは、これら近隣セルが、この期間またはサブフレーム内でデータを送信していると判定した場合、チャネル状態フィードバック値を計算するだろう。これは、除去された干渉信号を考慮することを含む。
【０００９】
本開示の１つの態様では、無線通信の方法は、近隣セルからの干渉基準信号を除去した後に、チャネル状態フィードバック値を決定することと、近隣セルが期間内にデータを送信するであろうと判定することと、除去された干渉基準信号に基づいて、チャネル状態フィードバック値を調節することによって、この期間のための、調節されたチャネル状態フィードバックを生成することと、を含む。
【００１０】
本開示のさらなる態様では、無線通信のために構成されたＵＥは、近隣セルからの干渉基準信号を除去した後に、チャネル状態フィードバック値を決定する手段と、近隣セルが期間内にデータを送信するであろうと判定する手段と、除去された干渉基準信号に基づいて、チャネル状態フィードバック値を調節することによって、この期間のための、調節されたチャネル状態フィードバックを生成する手段とを含む。
【００１１】
本開示のさらなる態様では、コンピュータ・プログラム製品が、記録されたプログラム・コードを有するコンピュータ読取可能な媒体を有する。このプログラム・コードは、近隣セルからの干渉基準信号を除去した後に、チャネル状態フィードバック値を決定するためのコードと、近隣セルが期間内にデータを送信するであろうと判定するためのコードと、除去された干渉基準信号に基づいて、チャネル状態フィードバック値を調節することによって、この期間のための、調節されたチャネル状態フィードバックを生成するためのコードと、を含む。
【００１２】
本開示のさらなる態様では、ＵＥは、少なくとも１つのプロセッサと、このプロセッサに接続されたメモリとを含む。このプロセッサは、近隣セルからの干渉基準信号を除去した後に、チャネル状態フィードバック値を決定し、近隣セルが期間内にデータを送信するであろうと判定し、除去された干渉基準信号に基づいて、チャネル状態フィードバック値を調節することによって、この期間のための、調節されたチャネル状態フィードバックを生成する、ように構成される。
【図面の簡単な説明】
【００１３】
【図１】図１は、モバイル通信システムの例を概念的に例示するブロック図である。
【図２】図２は、モバイル通信システムにおけるダウンリンク・フレーム構造の一例を概念的に例示するブロック図である。
【図３】図３は、本開示の１つの態様にしたがうヘテロジニアスなネットワークにおける時分割多重（ＴＤＭ）区分を概念的に例示するブロック図である。
【図４】図４は、本開示の１つの態様にしたがって構成された基地局／ｅＮＢとＵＥとの設計を概念的に例示するブロック図である。
【図５】図５は、ＣＲＳ干渉除去をイネーブルしたＵＥにおいて受信された複数の信号ストリームを例示するブロック図である。
【図６Ａ】図６Ａは、本開示の１つの態様を実施するように実行されるブロックの例を例示する機能ブロック図である。
【図６Ｂ】図６Ｂは、本開示の１つの態様を実施するように実行されるブロックの例を例示する機能ブロック図である。
【図７】図７は、本開示の１つの態様を実施するように実行されるブロックの例を例示する機能ブロック図である。
【発明を実施するための形態】
【００１４】
添付図面とともに以下に説明する詳細説明は、さまざまな構成の説明として意図されており、本明細書に記載された概念が実現される唯一の構成を表すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１５】
本明細書に記載された技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、テレコミュニケーション・インダストリ・アソシエーション（ＴＩＡ）のｃｄｍａ２０００（登録商標）等のようなラジオ技術を実現しうる。ＵＴＲＡ技術は、広帯域ＣＤＭＡ（ＷＣＤＭＡ）、およびＣＤＭＡのその他の変形を含んでいる。ＣＤＭＡ２０００（登録商標）技術は、米国電子工業会（ＥＩＡ）およびＴＩＡからのＩＳ−２０００規格、ＩＳ−９５規格、およびＩＳ−８５６規格を含んでいる。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現する。ＵＴＲＡ技術およびＥ−ＵＴＲＡ技術は、ユニバーサル・モバイル・テレコミュニケーション・システム（ＵＭＴＳ）の一部である。３ＧＰＰロング・ターム・イボリューション（ＬＴＥ）およびＬＴＥ−アドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートシップ計画」（３ＧＰＰ）と呼ばれる組織からの文書に記載されている。ＣＤＭＡ２０００（登録商標）およびＵＭＢは、「第３世代パートナシップ計画２」（３ＧＰＰ２）と呼ばれる組織からの文書に記載されている。本明細書で記載された技術は、他の無線ネットワークおよびラジオ・アクセス技術のみならず、前述された無線ネットワークおよびラジオ・アクセス技術のためにも使用されうる。明確化のために、これら技術のある態様は、以下において、ＬＴＥまたはＬＴＥ−Ａ（代わりにこれらはともに“ＬＴＥ／−Ａ”として称される）について記載されており、このようなＬＴＥ−Ａ用語が以下の説明の多くで使用される。
【００１６】
図１は、ＬＴＥ−Ａネットワークでありうる、通信のための無線ネットワーク１００を示す。無線ネットワーク１００は、多くのイボルブド・ノードＢ（ｅＮＢ）１１０およびその他のネットワーク・エンティティを含む。ｅＮＢは、ＵＥと通信する局であり、基地局、ノードＢ、アクセス・ポイント等とも称されうる。おのおののｅＮＢ１１０は、特定の地理的エリアのために通信有効通信範囲エリアを提供しうる。３ＧＰＰでは、用語「セル」は、この用語が使用されるコンテキストに依存して、この有効通信範囲エリアにサービス提供しているｅＮＢおよび／またはｅＮＢサブシステムからなる特定の地理的有効通信範囲エリアを称しうる。
【００１７】
ｅＮＢは、マクロ・セル、ピコ・セル、フェムト・セル、および／または、その他のタイプのセルのために、通信有効通信範囲を提供しうる。マクロ・セルは、一般に、比較的大きな地理的エリア（例えば、半径数キロメータ）をカバーし、ネットワーク・プロバイダへのサービス加入を持つＵＥによる無制限のアクセスを許可しうる。ピコ・セルは、一般に、比較的小さな地理的エリアをカバーし、ネットワーク・プロバイダへのサービス加入を持つＵＥによる無制限のアクセスを許可しうる。フェムト・セルもまた一般に、比較的小さな地理的エリア（例えば、住宅）をカバーし、フェムト・セルとの関連を持つＵＥ（例えば、クローズド加入者グループ（ＣＳＧ）におけるＵＥ）、住宅内のユーザのためのＵＥ等による無制限のアクセスを提供しうる。マクロ・セルのためのｅＮＢは、マクロｅＮＢと称されうる。ピコ・セルのためのｅＮＢは、ピコｅＮＢと称されうる。そして、フェムト・セルのためのｅＮＢは、フェムトｅＮＢまたはホームｅＮＢと称されうる。図１に示す例では、ｅＮＢ１１０ａ，１１０ｂ，１１０ｃは、マクロ・セル１０２ａ，１０２ｂ，１０２ｃそれぞれのためのマクロｅＮＢでありうる。ｅＮＢ１１０ｘは、ピコ・セル１０２ｘのためのピコｅＮＢでありうる。そして、ｅＮＢ１１０ｙ，１１０ｚは、それぞれフェムト・セル１０２ｙ，１０２ｚのためのフェムトｅＮＢである。ｅＮＢは、１または複数（例えば、２つ、３つ、４つ等）のセルをサポートしうる。
【００１８】
無線ネットワーク１００は、同期動作または非同期動作をサポートしうる。同期動作の場合、ｅＮＢは、同じようなフレーム・タイミングを有し、異なるｅＮＢからの送信は、時間的にほぼ揃えられうる。非同期動作の場合、ｅＮＢは、異なるフレーム・タイミングを有し、異なるｅＮＢからの送信は、時間的に揃えられない場合がある。ここに記載された技術は、何れかの同期動作のために使用されうる。
【００１９】
ネットワーク・コントローラ１３０は、ｅＮＢのセットに接続しており、これらｅＮＢのための調整および制御を提供しうる。ネットワーク・コントローラ１３０は、バックホール１３２を介してｅＮＢ１１０と通信しうる。ｅＮＢ１１０はまた、例えば、ダイレクトに、または、無線バックホール１３４または有線バックホール１３６を介して非ダイレクトに、互いに通信しうる。
【００２０】
無線ネットワーク１００の全体にわたって、複数のＵＥ１２０が分布しうる。そして、おのおののＵＥは、固定式または移動式でありうる。ＵＥは、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局等でありうる。ＵＥは、マクロｅＮＢ、ピコｅＮＢ、フェムトｅＮＢ、リレー等と通信することができうる。図１では、２つの矢印を持つ実線が、ＵＥと、ダウンリンクおよび／またはアップリンクでＵＥにサービス提供するように指定されたｅＮＢであるサービス提供ｅＮＢとの間の所望の送信を示す。２つの矢印を持つ破線は、ＵＥとｅＮＢとの間の干渉送信を示す。
【００２１】
ＬＴＥ／−Ａは、ダウンリンクで直交周波数分割多重（ＯＦＤＭ）を、アップリンクでシングル・キャリア周波数分割多重（ＳＣ−ＦＤＭ）を利用する。ＯＦＤＭおよびＳＣ−ＦＤＭは、システム帯域幅を、一般にトーン、ビン等とも称される複数（Ｋ個）の直交サブキャリアに区分する。おのおののサブキャリアは、データを用いて変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（Ｋ個）は、システム帯域幅に依存しうる。例えば、Ｋは、１．２５，２．５，５，１０，２０メガヘルツ（ＭＨｚ）の対応するシステム帯域幅についてそれぞれ１２８，２５６，５１２，１０２４，２０４８にそれぞれ等しい。システム帯域幅はまた、サブ帯域へ区分されうる。例えば、サブ帯域は、１．０８ＭＨｚをカバーし、１．２５，２．５，５，１０，２０ＭＨｚの対応するシステム帯域幅についてそれぞれ１，２，４，８，１６のサブ帯域が存在しうる。
【００２２】
図２は、ＬＴＥ／−Ａにおいて使用されるダウンリンク・フレーム構造を示す。ダウンリンクのこの送信タイムラインは、ラジオ・フレームの単位に区分されうる。おのおののラジオ・フレームは、（例えば１０ミリ秒（ｍｓ）のような）予め定められた持続時間を有し、０乃至９のインデクスを付された１０個のサブフレームへ区分されうる。おのおののサブフレームは２つのスロットを含みうる。したがって、おのおののラジオ・フレームは、０乃至１９のインデクスを付された２０のスロットを含みうる。おのおののスロットは、例えば、（図２に示すように）通常のサイクリック・プレフィクスの場合、７つのシンボル期間を、拡張されたサイクリック・プレフィクスの場合、６つのシンボル期間のように、Ｌ個のシンボル期間を含みうる。おのおののサブフレームでは、２Ｌ個のシンボル期間が、０乃至２Ｌ−１のインデクスを割り当てられうる。利用可能な時間周波数リソースが、リソース・ブロックへ区分されうる。おのおののリソース・ブロックは、１つのスロットにおいてＮ個のサブキャリア（例えば、１２のサブキャリア）をカバーしうる。
【００２３】
ＬＴＥ／−Ａにおいて、ｅＮＢは、ｅＮＢにおける各セルについて、一次同期信号（ＰＳＳ）と二次同期信号（ＳＳＳ）とを送信しうる。図２に示すように、一次同期信号および二次同期信号は、通常のサイクリック・プレフィクスを持つ各ラジオ・フレームのサブフレーム０，５のおのおのにおいて、シンボル期間６およびシンボル期間５でそれぞれ送信されうる。これら同期信号は、ＵＥによって、セル検出および獲得のために使用されうる。ｅＮＢはまた、サブフレーム０のスロット１におけるシンボル期間０乃至３で、物理ブロードキャスト・チャネル（ＰＢＣＨ）を送信しうる。ＰＢＣＨは、あるシステム情報を伝送しうる。
【００２４】
図２に見られるように、ｅＮＢは、各サブフレームの最初のシンボル期間で、物理制御フォーマット・インジケータ・チャネル（ＰＣＦＩＣＨ）を送信しうる。ＰＣＦＩＣＨは、制御チャネルのために使用されるシンボル期間の数（Ｍ）を伝えうる。ここで、Ｍは、１，２または３に等しく、サブフレーム毎に変化しうる。Ｍはまた、例えば、１０未満のリソース・ブロックのように、少ない数のシステム帯域幅に対して４に等しくなりうる。図２に示す例では、Ｍ＝３である。ｅＮＢは、おのおののサブフレームの最初のＭ個のシンボル期間において、物理ＨＡＲＱインジケータ・チャネル（ＰＨＩＣＨ）と物理ダウンリンク制御チャネル（ＰＤＣＣＨ）とを送信しうる。ＰＤＣＣＨとＰＨＩＣＨもまた、図２に示す例における最初の３つのシンボル期間に含まれる。ＰＨＩＣＨは、ハイブリッド自動再送信（ＨＡＲＱ）をサポートするための情報を伝送しうる。ＰＤＣＣＨは、ＵＥのためのリソース割当に関する情報と、ダウンリンク・チャネルのための制御情報とを伝送しうる。ｅＮＢはまた、おのおののサブフレームの残りのシンボル期間で、物理ダウンリンク共有チャネル（ＰＤＳＣＨ）を送信しうる。ＰＤＳＣＨは、ダウンリンクで、データ送信のためにスケジュールされたＵＥのためのデータを伝送しうる。
【００２５】
ＬＴＥ−Ａは、各サブフレームの制御セクション、すなわち、各サブフレームの第１のシンボル期間においてＰＨＩＣＨおよびＰＤＣＣＨを送信することに加えて、各サブフレームのデータ部分で、これら制御重視のチャネルをも送信しうる。図２に示すように、例えば中継−物理ダウンリンク制御チャネル（Ｒ−ＰＤＣＣＨ）および中継−物理ＨＡＲＱインジケータ・チャネル（Ｒ−ＰＨＩＣＨ）のように、データ領域を利用するこれら新たな制御設計は、各サブフレームの後半のシンボル期間に含まれる。Ｒ−ＰＤＣＣＨは、半デュプレクス中継動作のコンテキストで元々開発されたデータ領域を利用する、新たなタイプの制御チャネルである。Ｒ−ＰＤＣＣＨおよびＲ−ＰＨＩＣＨは、１つのサブフレーム内にいくつかの第１の制御シンボルを占有するレガシーＰＤＣＣＨおよびＰＨＩＣＨとは異なり、元々データ領域として指定されているリソース要素（ＲＥ）へマップされる。新たな制御チャネルは、周波数分割多重（ＦＤＭ）、時分割多重（ＴＤＭ）、あるいはＦＤＭとＴＤＭとの組み合わせの形態をとりうる。
【００２６】
ｅＮＢは、ｅＮＢによって使用されるシステム帯域幅の中心１．０８ＭＨｚでＰＳＳ、ＳＳＳ、およびＰＢＣＨを送信しうる。ｅＮＢは、これらのチャネルが送信される各シンボル期間におけるシステム帯域幅全体でＰＣＦＩＣＨおよびＰＨＩＣＨを送信しうる。ｅＮＢは、システム帯域幅のある部分において、ＵＥのグループにＰＤＣＣＨを送信しうる。ｅＮＢは、システム帯域幅の特定の部分で、特定のＵＥに、ＰＤＳＣＨを送信しうる。ｅＮＢは、すべてのＵＥへブロードキャスト方式でＰＳＳ、ＳＳＳ、ＰＢＣＨ、ＰＣＦＩＣＨ、およびＰＨＩＣＨを送信し、ＰＤＣＣＨを、ユニキャスト方式で、特定のＵＥへ送信しうる。さらに、特定のＵＥへユニキャスト方式でＰＤＳＣＨをも送信しうる。
【００２７】
各シンボル期間において、多くのリソース要素が利用可能でありうる。おのおののリソース要素は、１つのシンボル期間において１つのサブキャリアをカバーし、実数値または複素数値である１つの変調シンボルを送信するために使用されうる。おのおののシンボル期間において、基準信号のために使用されないリソース要素は、リソース要素グループ（ＲＥＧ）へ構成されうる。おのおののＲＥＧは、１つのシンボル期間内に、４つのリソース要素を含みうる。ＰＣＦＩＣＨは、シンボル期間０において、４つのＲＥＧを占有しうる。これらは、周波数にわたってほぼ等間隔に配置されうる。ＰＨＩＣＨは、１または複数の設定可能なシンボル期間内に３つのＲＥＧを占有しうる。これらは、周波数にわたって分散されうる。例えば、ＰＨＩＣＨのための３つのＲＥＧはすべて、シンボル期間０に属しうる。あるいは、シンボル期間０，１，２に分散されうる。ＰＤＣＣＨは、最初のＭ個のシンボル期間内に、９，１８，３２，または６４のＲＥＧを占有しうる。これらは、利用可能なＲＥＧから選択されうる。複数のＲＥＧのある組み合わせのみが、ＰＤＣＣＨのために許可されうる。
【００２８】
ＵＥは、ＰＨＩＣＨとＰＣＦＩＣＨとのために使用された特定のＲＥＧを認識しうる。ＵＥは、ＰＤＣＣＨを求めて、ＲＥＧの異なる組み合わせを探索しうる。探索する組み合わせの数は、一般に、ＰＤＣＣＨのために許可された組み合わせ数よりも少ない。ｅＮＢは、ＵＥが探索する組み合わせのうちの何れかのＵＥにＰＤＣＣＨを送信しうる。
【００２９】
ＵＥは、複数のｅＮＢの有効通信範囲内に存在しうる。これらのｅＮＢのうちの１つは、ＵＥにサービス提供するために選択されうる。サービス提供するｅＮＢは、例えば受信電力、経路喪失、信号対雑音比（ＳＮＲ）等のようなさまざまな基準に基づいて選択されうる。
【００３０】
図１に示すように、無線ネットワーク１００は、単位エリア毎のシステムのスペクトル効率を改善するために、ｅＮＢ１００の多様なセット（すなわち、マクロｅＮＢ、ピコｅＮＢ、フェムトｅＮＢ、およびリレー）を使用する。無線ネットワーク１００は、スペクトル有効通信範囲のため、このように異なるｅＮＢを使用するので、ヘテロジニアスなネットワークとも称されうる。マクロｅＮＢ１１０ａ−ｃは、通常、無線ネットワーク１００のプロバイダによって、注意深く計画され、配置される。マクロｅＮＢ１１０ａ−ｃは、一般に、高い電力レベル（例えば、５Ｗ−４０Ｗ）で送信する。一般に、実質的に低い電力レベル（例えば、１００ｍＷ−２Ｗ）で送信するピコｅＮＢ１１０ｘおよび中継局１１０ｒは、マクロｅＮＢ１１０ａ−ｃによって提供される有効通信範囲エリアにおける有効通信範囲ホールをなくすために、および、ホット・スポットにおける容量を改善するために、比較的無計画な方式で配置されうる。一般に、無線ネットワーク１００から独立して配置されるフェムトｅＮＢ１１０ｙ−ｚはやはり、アドミニストレータ（単数または複数）によって許可されている場合には、無線ネットワーク１００への潜在的なアクセス・ポイントとして、または、リソース調整および干渉管理の調整を実行するために、無線ネットワーク１００の他のｅＮＢ１１０と通信しうる、少なくともアクティブでアウェアなｅＮＢとして、の何れかとして、無線ネットワーク１００の有効通信範囲エリアへ組み込まれうる。また、フェムトｅＮＢ１１０ｙ−ｚは、一般に、マクロｅＮＢ１１０ａ−ｃよりも実質的に低い電力レベル（例えば、１００ｍＷ−２Ｗ）でも送信する。
【００３１】
例えば無線ネットワーク１００のようなヘテロジニアスなネットワークの動作では、おのおののＵＥは、通常、良好な信号品質のｅＮＢ１１０によってサービス提供される一方、他のｅＮＢ１１０から受信された、求められない信号は、干渉として取り扱われる。このような動作原理は、最適とはいえないパフォーマンスをもたらす一方、ｅＮＢ１１０間における高度なリソース調整、より良好なサーバ選択戦略、および、効率的な干渉管理のためのより進化した技術を用いることによって、無線ネットワーク１００におけるネットワーク・パフォーマンスの向上が達成される。
【００３２】
例えばピコｅＮＢ１１０ｘのようなピコｅＮＢは、例えばマクロｅＮＢ１１０ａ−ｃのようなマクロｅＮＢと比較された場合、実質的に低い送信電力によって特徴付けられる。また、ピコｅＮＢは、通常、アド・ホック方式では、例えば無線ネットワーク１００のようなネットワークの周囲に配置されるだろう。この無計画な配置によって、例えば無線ネットワーク１００のような、ピコｅＮＢ配置を伴う無線ネットワークは、低い信号対干渉条件を持つ広いエリアを有することが期待されうる。これは、有効通信範囲エリアまたはセルの端部のＵＥ（「セル・エッジ」ＵＥ）への制御チャネル送信のためのよりチャレンジングなＲＦ環境を生み出しうる。さらに、マクロｅＮＢ１１０ａ−ｃと、ピコｅＮＢ１１０ｘとの送信電力レベル間に潜在的に大きな相違（例えば、約２０ｄＢ）があることは、混合した配置では、ピコｅＮＢ１１０ｘのダウンリンク有効通信範囲エリアが、マクロｅＮＢ１１０ａ−ｃのダウンリンク有効通信範囲エリアよりも格段に小さいであろうことを示唆している。
【００３３】
サーバ選択が、ダウンリンク受信信号強度に支配的に基づくのであれば、例えば無線ネットワーク１００のようなヘテロジニアスなネットワークの混合ｅＮＢ配置の有用性が大きく損なわれるだろう。これは、例えばマクロｅＮＢ１１０ａ−ｃのような高電力マクロｅＮＢの有効通信範囲エリアが広くなると、例えばピコｅＮＢ１１０ｘのようなピコｅＮＢを用いてセル有効通信範囲を分割する利点を制限するからである。なぜなら、マクロｅＮＢ１１０ａ−ｃのダウンリンク受信信号強度が高くなると、利用可能なＵＥのすべてに対して魅力的である一方、ピコｅＮＢ１１０ｘは、ダウンリンク送信電力がはるかに低いことによって、いずれのＵＥにもサービス提供しないからである。さらに、マクロｅＮＢ１１０ａ−ｃは、これらのＵＥに対して効率的にサービス提供するために、十分なリソースを持たない可能性が高くなるであろう。したがって、無線ネットワーク１００は、ピコｅＮＢ１１０ｘの有効通信範囲エリアを拡大することによって、マクロｅＮＢ１１０ａ−ｃとピコｅＮＢ１１０ｘとの間の負荷をアクティブに平準化するように試みるであろう。この概念は範囲拡張と称される。
【００３４】
無線ネットワーク１００は、サーバ選択が決定される方式を変更することによって、この範囲拡張を達成する。サーバ選択は、ダウンリンク受信信号強度に基づくのではなく、よりダウンリンク信号の品質に基づく。１つのこのような品質ベースの決定では、サーバ選択は、ＵＥに対して最小の経路喪失しかもたらさないｅＮＢを決定することに基づきうる。さらに、無線ネットワーク１００は、マクロｅＮＢ１１０ａ−ｃと、ピコｅＮＢ１１０ｘとの間で固定されたリソース分配を等しく提供する。しかしながら、このようなアクティブな負荷平準化をもってしても、マクロｅＮＢ１１０ａ−ｃからのダウンリンク干渉は、例えばピコｅＮＢ１１０ｘのようなピコｅＮＢによってサービス提供されるＵＥのために緩和されねばならない。これは、ＵＥにおける干渉除去、ｅＮＢ１１０間のリソース調整等を含むさまざまな方法によって達成されうる。
【００３５】
例えば無線ネットワーク１００のように、範囲拡張されたヘテロジニアスなネットワークでは、例えばマクロｅＮＢ１１０ａ−ｃのような高電力のｅＮＢから送信された、より強いダウンリンク信号の存在下において、例えばピコｅＮＢ１１０ｘのような低電力のｅＮＢから、ＵＥがサービスを得るために、ピコｅＮＢ１１０ｘは、マクロｅＮＢ１１０ａ−ｃのうちの支配的な干渉元との制御チャネルおよびデータ・チャネルの干渉の調整を行う。干渉を管理するために、干渉調整のための別の多くの技術が適用されうる。例えば、同一チャネル配置におけるセルからの干渉を低減するために、セル間干渉調整（ＩＣＩＣ）が使用されうる。１つのＩＣＩＣメカニズムは、適応性のあるリソース区分である。適応性のあるリソース区分は、あるｅＮＢにサブフレームを割り当てる。第１のｅＮＢに割り当てられたサブフレームでは、近隣のｅＮＢは送信しない。したがって、第１のｅＮＢによってサービス提供されるＵＥによってもたらされる干渉が低減される。サブフレーム割当は、アップリンク・チャネルとダウンリンク・チャネルとの両方で実行されうる。
【００３６】
例えば、サブフレームは、３つのクラスのサブフレーム、すなわち、保護サブフレーム（Ｕサブフレーム）、禁止サブフレーム（Ｎサブフレーム）、および共通サブフレーム（Ｃサブフレーム）を割り当てられうる。保護サブフレームは、第１のｅＮＢによる限定的な使用のために第１のｅＮＢに割り当てられる。保護サブフレームはまた、近隣のｅＮＢからの干渉が無いことに基づいて、「クリーンな」サブフレームとも称される。禁止サブフレームは、近隣のｅＮＢに割り当てられたサブフレームであり、第１のｅＮＢは、禁止サブフレームの間、データを送信することを禁じられる。例えば、第１のｅＮＢの禁止サブフレームは、第２の干渉元のｅＮＢの保護サブフレームに対応しうる。したがって、第１のｅＮＢは、第１のｅＮＢの保護サブフレームの間にデータを送信している唯一のｅＮＢである。共通サブフレームは、複数のｅＮＢによるデータ送信のため使用されうる。共通サブフレームはまた、別のｅＮＢからの干渉の可能性があることから、「クリーンではない」サブフレームとも称されうる。
【００３７】
期間毎に、少なくとも１つの保護サブフレームが静的に割り当てられる。ある場合には、１つの保護サブフレームのみが静的に割り当てられる。例えば、期間が８ミリ秒である場合、１つの保護サブフレームが、毎８ミリ秒の間に、ｅＮＢに静的に割り当てられうる。他のサブフレームは動的に割り当てられうる。
【００３８】
適応リソース区分情報（ＡＲＰＩ）によって、非静的に割り当てられたサブフレームが、動的に割り当てられるようになる。保護サブフレーム、禁止サブフレーム、または共通サブフレーム（それぞれＡＵサブフレーム、ＡＮサブフレーム、ＡＣサブフレーム）の何れかが、動的に割り当てられうる。このような動的な割り当ては、例えば１００ミリ秒毎またはそれ未満のように、迅速に変化しうる。
【００３９】
ヘテロジニアスなネットワークは、異なる電力クラスのｅＮＢを有しうる。例えば、マクロｅＮＢ、ピコｅＮＢ、およびフェムトｅＮＢのように、電力クラスが減少する３つの電力クラスが定義されうる。マクロｅＮＢ、ピコｅＮＢ、およびフェムトｅＮＢが同一チャネルに配置されている場合、マクロｅＮＢ（攻撃ｅＮＢ）の電力スペクトル密度（ＰＳＤ）は、ピコｅＮＢおよびフェムトｅＮＢ（犠牲ｅＮＢｓ）のＰＳＤよりも大きく、ピコｅＮＢとフェムトｅＮＢとに多大な干渉をもたらしうる。保護サブフレームは、ピコｅＮＢおよびフェムトｅＮＢとの干渉を低減または最小化するために使用されうる。すなわち、保護サブフレームは、犠牲ｅＮＢが、攻撃ｅＮＢにおける禁止サブフレームに対応するようにスケジュールされうる。
【００４０】
図３は、本開示の１つの態様にしたがうヘテロジニアスなネットワークにおける時分割多重（ＴＤＭ）区分を例示するブロック図である。ブロックの第１行は、フェムトｅＮＢのためのサブフレーム割当を例示しており、ブロックの第２行は、マクロｅＮＢのためのサブフレーム割当を例示している。ｅＮＢのおのおのは、静的な保護サブフレームを有する。この間、他のｅＮＢは、静的な禁止サブフレームを有する。例えば、フェムトｅＮＢは、サブフレーム０の禁止サブフレーム（Ｎサブフレーム）に対応する、サブフレーム０の保護サブフレーム（Ｕサブフレーム）を有する。同様に、マクロｅＮＢは、サブフレーム７の禁止サブフレーム（Ｎサブフレーム）に対応する、サブフレーム７の保護サブフレーム（Ｕサブフレーム）を有する。サブフレーム１−６は、保護サブフレーム（ＡＵ）、禁止サブフレーム（ＡＮ）、および共通サブフレーム（ＡＣ）の何れかとして動的に割り当てられる。サブフレーム５，６において動的に割り当てられた共通サブフレーム（ＡＣ）では、フェムトｅＮＢとマクロｅＮＢとの両方が、データを送信しうる。
【００４１】
攻撃ｅＮＢは、送信することを禁止されているので、（例えばＵ／ＡＵサブフレームのような）保護サブフレームは、干渉が低減され、高いチャネル品質を有している。（例えば、Ｎ／ＡＮサブフレームのような）禁止サブフレームは、データ送信を有さないので、犠牲ｅＮＢは、低い干渉レベルでデータを送信できるようになる。（例えば、Ｃ／ＡＣサブフレームのような）共通サブフレームは、データを送信している近隣ｅＮＢの数に依存するチャネル品質を有する。例えば、近隣ｅＮＢが、共通サブフレームでデータを送信している場合、共通サブフレームのチャネル品質は、保護サブフレームよりも低くなりうる。共通サブフレームのチャネル品質はまた、攻撃ｅＮＢによって強く影響を受けた拡張境界エリア（ＥＢＡ）について低くなりうる。ＥＢＡ  ＵＥは、第１のｅＮＢに属するのみならず、第２のｅＮＢの有効通信範囲エリア内に配置されうる。例えば、フェムトｅＮＢ有効通信範囲の範囲限界近傍のマクロｅＮＢと通信するＵＥは、ＥＢＡ  ＵＥである。
【００４２】
例えば無線ネットワーク１００のようなヘテロジニアスなネットワークの配置では、ＵＥは、１または複数の干渉元のｅＮＢから高い干渉を観察しうる支配的な干渉シナリオで動作しうる。支配的な干渉シナリオは、制限された関連付けによって生じうる。例えば、図１では、ＵＥ１２０ｙが、フェムトｅＮＢ１１０ｙの近くにあり、ｅＮＢ１１０ｙに関し高い受信電力を有しうる。しかしながら、制約された関連性によって、ＵＥ１２０ｙは、フェムトｅＮＢ１１０ｙにアクセスすることができず、（図１に示すような）マクロｅＮＢ１１０ｃ、または、同様に低い受信電力を持つ（図１に示されていない）フェムトｅＮＢ１１０ｚに接続しうる。ＵＥ１２０ｙは、その後、ダウンリンクで、フェムトｅＮＢ１１０ｙからの高い干渉を観察し、アップリンクで、ｅＮＢ１１０ｙへ高い干渉を引き起こしうる。ｅＮＢ１１０ｃおよびフェムトｅＮＢ１１０ｙは、調整された干渉管理を用いて、リソースをネゴシエートするために、バックホール１３４を介して通信しうる。このネゴシエーションでは、フェムトｅＮＢ１１０ｙは、チャネル・リソースのうちの１つでの送信を停止することに合意する。これによって、ＵＥ１２０ｙは、同じチャネルを介してｅＮＢ１１０ｃと通信する場合ほど、フェムト１１０ｙからの干渉を受けなくなるであろう。
【００４３】
図４は、図１における基地局／ｅＮＢのうちの１つ、およびＵＥのうちの１つでありうる、基地局／ｅＮＢ１１０とＵＥ１２０との設計のブロック図を示す。制約された関連性のシナリオの場合、ｅＮＢ１１０は、図１におけるマクロｅＮＢ１１０ｃでありうる。そして、ＵＥ１２０は、ＵＥ１２０ｙでありうる。ｅＮＢ１１０はさらに、その他いくつかのタイプの基地局でもありうる。ｅＮＢ１１０は、アンテナ４３４ａ乃至４３４ｔを備え、ＵＥ１２０は、アンテナ４５２ａ乃至４５２ｒを備えうる。
【００４４】
ｅＮＢ１１０では、送信プロセッサ４２０が、データ・ソース４１２からデータを、コントローラ／プロセッサ４４０から制御情報を受信しうる。制御情報は、ＰＢＣＨ、ＰＣＦＩＣＨ、ＰＨＩＣＨ、ＰＤＣＣＨ等用でありうる。データは、ＰＤＳＣＨ等用でありうる。送信プロセッサ４２０は、データ・シンボルおよび制御シンボルをそれぞれ取得するために、データ情報および制御情報を処理（例えば、符号化およびシンボル・マップ）しうる。送信プロセッサ４２０はさらに、例えばＰＳＳやＳＳＳのための基準シンボルや、セル特有の基準信号を生成しうる。送信（ＴＸ）複数入力複数出力（ＭＩＭＯ）プロセッサ４３０は、適用可能であれば、基準シンボル、制御シンボル、および／または、データ・シンボルに空間処理（例えば、プリコーディング）を実行し、出力シンボル・ストリームを変調器（ＭＯＤ）４３２ａ乃至４３２ｔに提供しうる。おのおのの変調器４３２は、（例えば、ＯＦＤＭ等のために）それぞれの出力シンボル・ストリームを処理して、出力サンプル・ストリームを得る。おのおのの変調器４３２はさらに、出力サンプル・ストリームを処理（例えば、アナログ変換、増幅、フィルタ、およびアップコンバート）し、ダウンリンク信号を取得する。変調器４３２ａ乃至４３２ｔからのダウンリンク信号は、アンテナ４３４ａ乃至４３４ｔによってそれぞれ送信されうる。
【００４５】
ＵＥ１２０では、アンテナ４５２ａ乃至４５２ｒが、ｅＮＢ１１０からダウンリンク信号を受信し、受信した信号を、復調器（ＤＥＭＯＤ）４５４ａ乃至４５４ｒへそれぞれ提供しうる。おのおのの復調器４５４は、受信したそれぞれの信号を調整（例えば、フィルタ、増幅、ダウンコンバート、およびデジタル化）して、入力サンプルを取得しうる。おのおのの復調器４５４はさらに、（例えば、ＯＦＤＭ等のため）これら入力サンプルを処理して、受信されたシンボルを取得しうる。ＭＩＭＯ検出器４５６は、すべての復調器４５４ａ乃至４５４ｒから受信したシンボルを取得し、適用可能である場合、これら受信されたシンボルに対してＭＩＭＯ検出を実行し、検出されたシンボルを提供しうる。受信プロセッサ４５８は、検出されたシンボルを処理（例えば、復調、デインタリーブ、および復号）し、ＵＥ１２０のために復号されたデータをデータ・シンク４６０に提供し、復号された制御情報をコントローラ／プロセッサ４８０へ提供しうる。
【００４６】
アップリンクでは、ＵＥ１２０において、送信プロセッサ４６４が、データ・ソース４６２から（例えば、物理アップリンク共有チャネル（ＰＵＳＣＨ）のための）データを、コントローラ／プロセッサ２８０から（例えば、物理アップリンク制御チャネル（ＰＵＣＣＨ）のための）制御情報を受信し、これらを処理しうる。送信プロセッサ４６４はさらに、基準信号のための基準シンボルを生成しうる。送信プロセッサ４６４からのシンボルは、適用可能であれば、ＴＸ  ＭＩＭＯプロセッサ４６６によってプリコードされ、さらに、（例えば、ＳＣ−ＦＤＭ等のために）復調器４５４ａ乃至４５４ｒによって処理され、ｅＮＢ１１０へ送信される。ｅＮＢ１１０では、ＵＥ１２０からのアップリンク信号が、アンテナ４３４によって受信され、変調器４３２によって処理され、適用可能な場合にはＭＩＭＯ検出器４３６によって検出され、さらに、受信プロセッサ４３８によって処理されて、ＵＥ１２０によって送信された復号されたデータおよび制御情報が取得されうる。受信プロセッサ４３８は、復号されたデータをデータ・シンク４３９に提供し、復号された制御情報をコントローラ／プロセッサ４４０へ提供しうる。
【００４７】
コントローラ／プロセッサ４４０，４８０は、ｅＮＢ１１０およびＵＥ１２０それぞれにおける動作を指示しうる。ｅＮＢ１１０におけるコントローラ／プロセッサ４４０および／またはその他のプロセッサおよびモジュールは、ここで説明された技術のためのさまざまな処理の実行または指示を行いうる。ＵＥ１２０におけるコントローラ／プロセッサ４８０および／またはその他のプロセッサおよびモジュールは、図６Ａ、図６Ｂおよび図７に例示された機能ブロック、および／または、本明細書に記載された技術のためのその他の処理の実行または指示を行いうる。メモリ４４２，４８２は、ｅＮＢ１１０およびＵＥ１２０それぞれのためのデータおよびプログラム・コードを格納しうる。スケジューラ４４４は、ダウンリンクおよび／またはアップリンクでのデータ送信のためにＵＥをスケジュールしうる。
【００４８】
ＬＴＥ／−ＡネットワークにおけるさまざまなｅＮＢの調整によって達成されたＩＣＩＣに加えて、いくつかのＵＥによって、さらなる干渉除去がダイレクトに提供されうる。進化した多くのＵＥにおける検出および処理電力によって、干渉元の信号の検出および除去が可能となる。この干渉除去の１つの形式は、共通基準信号（ＣＲＳ）干渉除去である。しかしながら、イネーブルされたＣＲＳ干渉除去を備えたＵＥでは、ＵＥとそのサービス提供セルとの間の通信に困難が生じうる。例えば、ＵＥは、このサービス提供セルの基準信号を決定した場合、どの干渉元の近隣セルからの干渉基準信号をも除去するであろう。これによって、ＵＥは、サービス提供セル基準信号をクリーンかつ正確に読み取ることが可能となる。
【００４９】
ＵＥは、サービス提供セルとの通信を確立し維持する際に、通信をＵＥに適応させるために、使用するサービス提供セルのチャネル状態フィードバックを定期的または不定期的に計算する。チャネル状態フィードバックは、チャネル品質インジケータ（ＣＱＩ）、ランク・インジケータ（ＲＩ）、プリコーディング行列インジケータ（ＰＭＩ）、受信信号強度インジケータ（ＲＳＳＩ）等のようなフィードバック・インジケーションを含みうる。ＣＱＩは、基準信号において観察された所与のチャネル条件の下、ＵＥによるサポートが可能なＰＤＳＣＨの符号化レートを推定する測定または計算である。サービス提供セルは、ＰＤＳＣＨのための変調および符号化スキーム（ＭＣＳ）を決定するためにＣＱＩを用いる。ＲＩは、ダウンリンク・チャネルのＵＥ推定に基づく、空間多重化のために役立つ送信レイヤの数に相当する。これによって、サービス提供セルは、ＰＤＳＣＨ送信を適応させることができる。ＰＭＩは、ＭＩＭＯ動作をサポートするフィードバック信号である。これは、ＵＥおよびサービス提供セルによって共有されるコードブック内のプリコーダのインデクスに対応する。これによって、サービス提供セルは、すべてのダウリンク空間送信レイヤによって受信されるであろうデータ・ビットの総数を最大化することができる。
【００５０】
ＲＳＳＩは、同一チャネル・サービス提供セルおよび非サービス提供セル、隣接チャネル干渉、および測定帯域幅内の熱雑音を含むすべてのソースから、ＵＥによって観察される総受信広帯域電力として定義される測定値である。しかしながら、ＬＴＥネットワークでは、ＵＥは、ＲＳＳＩを、単純なチャネル状態フィードバック値としてサービス提供セルへ送信しない。代わりに、ＵＥは、ＵＥがサービス提供セルへ送信する別のシステム・メトリックを生成するために、このチャネル状態情報フィードバック値を用いる。具体的には、ＲＳＳＩチャネル状態フィードバック値に関して、ＵＥは、基準信号受信品質（ＲＳＲＱ）を生成する。ＲＳＲＱは、別のＬＴＥセルをランク付けるために使用されるセル特有の信号品質メトリックを、ハンドオーバ決定およびセル選択決定のための入力としての信号品質にしたがって提供する。これは、ＲＳＳＩによって区分された受信信号受信電力（ＲＳＲＰ）として定義される。
【００５１】
ＣＲＳ干渉除去がイネーブルされた場合、ＵＥは、何れかの干渉信号を除去した後、サブフレーム内の信号に基づいて、チャネル状態フィードバック値を計算することができる。このチャネル状態フィードバック値は、たとえ１または複数の近隣セルのうちの何れかから潜在的な干渉がある場合であっても、ＵＥによって経験される非常に高い品質の信号を反映するだろう。したがって、（例えばＲＳＲＱのような）チャネル状態フィードバック値に基づく判定、または、チャネル状態フィードバック値を用いて計算されたその他のメトリックは、ＣＲＳ干渉除去が、データを送信している近隣セルの干渉基準信号を除去する場合に、不正確または信頼性が低いことがある。
【００５２】
図５は、ＣＲＳ干渉除去をイネーブルしたＵＥにおいて受信された複数の信号ストリームを例示するブロック図である。図５は、８つのサブフレームからなる複数の信号ストリームを例示するが、これら信号ストリームは、８以降の例示されたストリームも続くことが理解されるべきである。信号ストリーム「Ｓ」は、サービス提供セルからの信号ストリームを示す。信号ストリームＩ１乃至ＩＮは、多くの近隣の潜在的な干渉元のセルからの信号ストリームを示す。ＵＥは、信号ストリームＳおよびＩ１乃至ＩＮのおのおのが、予め定められたシンボル位置およびサブキャリアにおける各サブフレームの全体にわたって分布する基準信号を含む。ＵＥは、ＣＲＳ干渉除去を用いて、信号ストリームＩ１乃至ＩＮにおいて基準信号を除去しうる。したがって、ＵＥは、信号ストリームＳから、サービス提供セル基準信号を正確に読み取ることができる。
【００５３】
ＵＥは、Ｉ１乃至ＩＮを送信する近隣セルのうちの何れかの送信スケジュールを知らない。したがって、ＵＥは、近隣セルからの送信が、ＵＥ自身のデータ送信と干渉するか否かを知らない。ＵＥがＣＱＩを計算するケースの例では、ＵＥが、除去された干渉基準信号、チャネル状態フィードバック値、およびその結果のすべてを備える、ＵＥ自身のサービス基準信号のみに基づいて、例えばＣＱＩのようなチャネル状態フィードバック値を計算するべきであった場合、ＭＣＳのサービス提供セルの選択は、近隣セルがデータを送信している場合、サブフレームについて楽観的すぎるであろう。チャネル状態フィードバック値がＣＱＩである例については、サブフレーム１は、サービス提供セルＳのために限定的に割り当てられるので、このようなＣＱＩは、サブフレーム１について正確になるであろう。しかしながら、サブフレーム２では、信号ストリームＩ１を送信している近隣セルは、サービス提供セルとともにデータＳを送信する。したがって、ＵＥは、報告された、反映されたＣＱＩよりも多くの干渉を受けるだろう。正確なＣＱＩは、近隣セルからの干渉を考慮するだろう。同様に、サブフレーム６では、ＵＥは、サブフレーム６でデータが送信される信号ストリームＩ１およびＩＮを送信している近隣セルの両方に少なくとも基づいて、データ送信において、より多くの干渉を経験するであろう。この不正確さは、例えばＲＩおよびＰＭＩのようなその他のチャネル状態フィードバック値の中にあるだろう。
【００５４】
図６Ａは、本開示の１つの態様を実施するように実行されるブロックの例を例示する機能ブロック図である。ブロック６００では、ＵＥは、近隣セルからの干渉基準信号を除去した後、特定の期間のチャネル状態フィードバック値を決定する。ブロック６０１では、この期間内に、近隣セルがデータを送信しているのかの判定がなされる。送信していると判定されなかった場合、ＵＥは、ブロック６０２において、チャネル状態フィードバック値を、サービス提供セルへ送信する。近隣セルがデータを送信している場合、ＵＥは、除去された干渉基準信号を考慮するために、ブロック６０３において、チャネル状態フィードバック値を調節することによって、この期間のチャネル状態フィードバック値を調節する。その後、ＵＥは、ブロック６０２において、調節されたチャネル状態フィードバック値を、サービス提供セルへ送信する。したがって、近隣セルがこの期間内に送信しているか否かに依存して、ＵＥは、（除去された干渉基準信号に基づく）「クリーンな」チャネル状態フィードバック値、または（除去された干渉基準信号を考慮した）「ダーティな」チャネル状態フィードバック値の何れかを送信するだろう。
【００５５】
図６Ｂは、本開示の１つの態様を実施するように実行されるブロックの例を例示する機能ブロック図である。図６Ｂの機能ブロックを用いて記載された処理は、図６Ａの機能ブロックを用いて記載された処理と同様にして始まる。ＵＥは、ブロック６００において、少なくとも１つの近隣セルからの干渉基準信号を除去した後、チャネル状態フィードバック値を決定する。ブロック６０１では、近隣セルがデータを送信しているか否かが判定される。送信していると判定されると、ＵＥは、ブロック６０３において、除去された干渉基準信号を考慮して、チャネル状態フィードバック値を調節する。近隣セルがデータを送信していないか、または、ブロック６０３においてチャネル状態フィードバック値が調節された後、ＵＥは、ブロック６０４において、チャネル状態フィードバック値を用いて、信号品質メトリックを生成する。その後、ＵＥは、ブロック６０５において、信号品質メトリックをサービス提供セルへ送信する。本開示のこの態様では、ＵＥは、このフィードバック値自身を送信する代わりに、生成された別の値である信号品質メトリックに、フィードバック値を用いる。
【００５６】
図６Ｂに例示された機能の実施の一例では、決定されたチャネル状態フィードバック値は、ＲＳＳＩである一方、このＲＳＳＩを用いて生成された信号品質メトリックは、ＲＳＲＱである。しかしながら、これらの値は、例示された処理において使用されうる信号品質メトリックおよびチャネル状態フィードバック値の単なる例であることが注目されるべきである。本開示のさまざまな態様は、これら特定の値に制限されない。
【００５７】
図５に戻って、信号ストリームＳおよびＩ１乃至ＩＮの近傍におけるＵＥによって見られる合計受信信号を考慮した場合、ＣＲＳリソース要素（ＲＥ）において観察される合計受信信号は、以下の式によって表されうる。  
【数１】
0005591958.tif 000002
【００５８】
ここで、ｙは、ＵＥによって受信された合計信号であり、ｈは、チャネル信号であり、ｘは、基準信号であり、ｎは、結合された周囲雑音（すなわち、ＵＥによって経験され、近隣セル１乃至Ｎから発生しない結合された雑音）である。ＵＥが、干渉基準信号を除去した場合、結果として得られるクリーンな信号ｙｃは、以下の式によって表されうる。  
【数２】
0005591958.tif 000003
【００５９】
この例の目的のために、ＣＱＩチャネル状態フィードバック値が考慮される。一般に、所与の期間またはサブフレームのＣＱＩは、以下の関数関係に基づく方式で計算されるだろう。  
【数３】
0005591958.tif 000004
【００６０】
ここでＮは、所与の期間またはサブフレームにおいて経験された結合された周囲雑音の分散である。しかしながら、所与のサブフレームのＮを用いる代わりに、時間フレームまたは期間について、Ｎの値が、期待される雑音および干渉推定値を用いて代用されうる。
【００６１】
したがって、近隣セルのうちの１または複数がデータを送信しているとＵＥが判定するか否かに依存して、以下の関数関係に基づく手法で、ＣＱＩが計算されるだろう。  
【数４】
0005591958.tif 000005
【００６２】
ここで、Ｓは、データを送信している近隣セルのセットである。または、近隣セルの何れもがデータを送信していない場合における例の場合、  
【数５】
0005591958.tif 000006
【００６３】
データを送信していると判定された近隣セルのおのおのは、ＣＱＩの計算に再び追加される信号成分を有するであろう一方、データを送信していると判定されなかった近隣セルは、除去されて残った信号成分を有するだろう。
【００６４】
図７は、本開示の１つの態様を実施するように実行されるブロックの例を例示する機能ブロック図である。ブロック７００では、ＵＥのための判定処理が、最初に検出された近隣セルで始まる。判定がなされると、ブロック７０１において、チャネル状態フィードバック値が計算されるサブフレーム内で、近隣セルがデータを送信しているかの判定がなされる。チャネル状態フィードバック値は、一般に、特定の期間またはサブフレームにおける計算のために示されるだろう。近隣セルがサブフレーム内で、データを送信していない場合、ブロック７０２において、近隣セルのすべてが考慮されているかが判定される。近隣セルのすべてが考慮されている訳ではないと判定された場合、処理は、次の近隣セルを考慮することに進み、ブロック７０４から繰り返す。近隣セルのうちのすべてが考慮されている場合、ブロック７０５において、チャネル状態フィードバック値がサービス提供セルへ送信される。ブロック７０１の判定に応じて、近隣セルが、特定のサブフレーム内でデータを送信している場合、ブロック７０４において、ＵＥは、送信中の近隣セルからの除去された干渉信号を考慮するために、チャネル状態フィードバック値を調節する。ブロック７０２では、ＵＥが、近隣セルのうちの考慮されたすべてを有しているか否かに関する別の判定がなされる。近隣セルのうちの考慮されたすべてを有している訳ではないと判定された場合、ＵＥは、ブロック７０３において、次の近隣セルに進み、ブロック７０１からの処理を繰り返す。ＵＥは、近隣セルのうちのすべてを考慮した場合、ブロック７０５において、調節されたチャネル状態フィードバック値をサービス提供セルへ送信する。
【００６５】
サービス提供セルは、ＵＥとは異なり、一般に、近隣セルのスケジューリングを知っている。サービス提供セルは、ＵＥへ実装された本開示のさまざまな態様を用いて、チャネル状態フィードバック値を受信し、チャネル状態フィードバック値が計算されるサブフレームを認識し、近隣セルのスケジュールを認識して、近隣セルの送信状態の判定においてＵＥが行った仮定を知るだろう。したがって、サービス提供セルは、データを送信している任意の近隣セルを考慮して、ＵＥから受信したチャネル状態フィードバック値を、正確なインジケータであると考えるだろう。
【００６６】
近隣セルの送信状態を判定するために、ＵＥは、多くの異なる判定処理を適用しうる。図１を参照して、ＵＥ１２０ｚは、マクロｅＮＢ１１０ｂおよびフェムトｅＮＢ１１０ｙからの干渉信号を受けるエリアに配置される。いくつかの態様では、ＵＥ１２０ｚは、シグナリングによってｅＮＢ１１０ｂおよびｅＮＢ１１０ｙのおのおのの送信状態を取得しうる。例えば、１つの態様では、ＵＥ１２０ｚは、半固定的なリソース区分情報（ＳＲＰＩ）を取得するために、ｅＮＢ１１０ｂおよびｅＮＢ１１０ｙのおのおののシステム情報ブロック１（ＳＩＢ１）を読み取りうる。このリソース区分情報は、少なくとも半固定的に割り当てられたサブフレームのために、ｅＮＢ１１０ｂおよびｅＮＢ１１０ｙのサブフレーム・スケジューリング情報を提供する。したがって、ＵＥ１２０ｚは、ＵＥ１２０ｚが、そのサービス提供セルであるｅＮＢ１１０ｃへ送信されるべきチャネル状態フィードバック値を計算するための所与の任意のサブフレームの送信状態を決定するために、近隣セルであるｅＮＢ１１０ｂおよびｅＮＢ１１０ｙのために、このスケジュールを使用しうる。サービス提供セルであるｅＮＢ１１０ｃは、チャネル状態フィードバック値を計算するために、ＵＥ１２０ｚのために特定の周期を設定しうるか、または、このようなチャネル状態フィードバック値をアド・ホック・ベースでさえも要求しうる。
【００６７】
別のシグナリング態様では、ｅＮＢ１１０ｂおよびｅＮＢ１１０ｙのおのおのは、自身の送信アクティビティをブロードキャストする。ＵＥ１２０ｚは、この近隣セルであるｅＮＢ１１０ｂおよびｅＮＢ１１０ｙのための送信アクティビティ・スケジュールを取得するために、これらブロードキャストされた信号を受信して復号する。その後、ＵＥ１２０ｚは再び、特定のチャネル状態フィードバック値を計算するための任意の特定のサブフレームの近隣セルの送信ステータスを決定するために、これらスケジュールを使用しうる。
【００６８】
本開示のさらなる態様では、ＵＥ１２０ｚは、送信ステータスを決定するために、さまざまな検出ベースのアルゴリズムを使用しうる。例えば、ＵＥ１２０ｚがｅＮＢ１１０ｂおよびｅＮＢ１１０ｙに関して容易に取得しうる情報の一部は、セル識別子（ＩＤ）である。セルＩＤに基づいて決定されうる１つの特性は、関連付けられたｅＮＢが属する電力クラスである。ＵＥ１２０ｚは、これらのセルＩＤを使用して、ｅＮＢ１１０ｙが、サービス提供セルであるｅＮＢ１１０ｃとは異なる電力であると判定するだろう。ＵＥ１２０ｚはまた、ｅＮＢ１１０ｂが、ｅＮＢ１１０ｃと同じ電力クラスであると判定するだろう。この特定の近隣セルの電力クラスは、異なる電力クラスの近隣セルが、サービス提供セルとの干渉するデータ送信を持たないであろうという仮定のベースとして使用されうる。
【００６９】
異なる電力クラスからなる２つの近隣セルは、互いに干渉しないであろうという仮定は、より高い電力クラスを持つセルがマクロ・セルである一方、より低い電力クラスを持つセルが、ピコ・セルまたはフェムト・セルであるという事実に基づく。フェムト・セルからの信号が、マクロ・セルからの信号とともに存在する場合、ＵＥは、マクロ・セルのみが、フェムト・セルに対して、一定数の割り当てられたサブフレームを許可するであろうと推定しうる。すなわち、図３に例示されるように、マクロ・セルとフェムト・セルとの間のリソース区分は、すでに、このような干渉を回避するように調整されている。同じことは、２つのマクロ・セル間では推定されない。２つのマクロ・セルは、実際、互いに干渉するデータ送信を有しうる。したがって、ｅＮＢ１１０ｂおよびｅＮＢ１１０ｙのおのおののセルＩＤを決定することによって、ＵＥ１２０ｚは、ｅＮＢ１１０ｙの電力クラスが、干渉するデータ送信を有さない一方、ｅＮＢ１１０ｂは、干渉するデータ送信を有することを意味することを認識しうる。
【００７０】
別の例のアルゴリズム決定では、ＵＥ１２０ｚは単に、干渉元の近隣セルであるｅＮＢ１１０ｂおよびｅＮＢ１１０ｙのおのおのが、データを送信しているか否かを検出しうる。その後、ＵＥ１２０ｚは、干渉元の近隣セルの、除去された信号成分の考慮を含むダーティなチャネル状態フィードバック値、または、クリーンなチャネル状態フィードバック値を計算するか否かを判定する前に、送信スケジュールをダイレクトに決定できるだろう。
【００７１】
１つの設定では、無線通信のために構成されたＵＥ１２０は、近隣セルからの干渉基準信号を除去した後に、チャネル状態フィードバック値を決定する手段と、近隣セルが期間内にデータを送信するであろうと判定する手段と、除去された干渉基準信号に基づいて、チャネル状態フィードバック値を調節することによって、この期間のための、調節されたチャネル状態フィードバックを生成する手段と、を含む。１つの態様では、前述した手段は、前述された手段によって記載された機能を実行するための、プロセッサ（単数または複数）、コントローラ／プロセッサ４８０、メモリ４８２、受信プロセッサ４５８、ＭＩＭＯ検出器４５６、復調器４５４ａ、およびアンテナ４５２ａでありうる。別の態様では、前述の手段は、前述の手段によって記述された機能を実行するように構成されたモジュールまたは任意の装置でありうる。
【００７２】
当業者であれば、情報および信号は、さまざまな異なる技術および技法のうちの何れかを用いて表されうることを理解するであろう。例えば、上記説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００７３】
図６Ａ，図６Ｂおよび図７における機能ブロックおよびモジュールは、プロセッサ、電子デバイス、ハードウェア・デバイス、電子部品、論理回路、メモリ、ソフトウェア・コード、ファームウェア・コード等、またはこれらの任意の組み合わせを備えうる。
【００７４】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、それらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００７５】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、または順序回路でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７６】
本明細書の開示に関連して説明された方法またはアルゴリズムのステップは、ハードウェアで直接に、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００７７】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。上記の組み合わせもまた、コンピュータ読取可能な媒体の範囲内に含まれるべきである。
【００７８】
本開示の上記記載は、当業者をして、本開示の製造または利用を可能とするように提供される。この開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
以下に、本願出願の当初の特許請求の範囲に記載された発明を付記する。
［１］  無線通信の方法であって、
近隣セルからの干渉基準信号を除去した後に、チャネル状態フィードバック値を決定することと、
前記近隣セルが期間内にデータを送信するであろうと判定することと、
前記除去された干渉基準信号に基づいて、前記チャネル状態フィードバック値を調節することによって、前記期間のための、調節されたチャネル状態フィードバックを生成することと、
を備える方法。
［２］  前記チャネル状態フィードバック値はさらに、第２の近隣セルからの第２の干渉基準信号を除去した後に決定され、
前記方法はさらに、
前記第２の近隣セルが前記期間内にデータを送信するか否かを判定することと、
前記第２の近隣セルが前記期間内にデータを送信すると判定された場合、前記除去された第２の干渉基準信号に基づいて、前記期間のためのチャネル状態フィードバック値を調節することと
を備える、［１］に記載の方法。
［３］  前記近隣セルが送信するであろうと判定することは、
前記近隣セルの半固定的なリソース区分情報を取得することと、
前記近隣セルが前記期間内にデータを送信することを示すインジケーションを、前記近隣セルのブロードキャスト信号から受信することと、
前記近隣セルに関して取得されたセル識別子に基づいて、前記近隣セルが前記期間内にデータを送信していると判定することと、
前記近隣セルの送信特性を検出することと、
のうちの１つを備える、［１］に記載の方法。
［４］  前記セル識別子に基づいて、前記近隣セルが送信するであろうと判定することは、
前記セル識別子に関連付けられた電力クラスを識別することと、
前記セル識別子に関連付けられた電力クラスを、サービス提供セル電力クラスと比較することと、
前記電力クラスと、前記サービス提供セル電力クラスとが、同じクラスであることに応じて、前記近隣セルを、前記期間内にデータを送信していると識別することと
を備える、［３］に記載の方法。
［５］  前記調節されたチャネル状態フィードバック値を、サービス提供セルへ送信すること、をさらに備える［１］に記載の方法。
［６］  前記調節されたチャネル状態フィードバック値を用いて信号品質メトリックを生成することと、
前記信号品質メトリックをサービス提供セルへ送信することと、
をさらに備える［１］に記載の方法。
［７］  無線通信のために構成されたユーザ機器（ＵＥ）であって、
近隣セルからの干渉基準信号を除去した後に、チャネル状態フィードバック値を決定する手段と、
前記近隣セルが期間内にデータを送信するであろうと判定する手段と、
前記除去された干渉基準信号に基づいて、前記チャネル状態フィードバック値を調節することによって、前記期間のための、調節されたチャネル状態フィードバックを生成する手段と、
を備えるユーザ機器。
［８］  前記チャネル状態フィードバック値はさらに、第２の近隣セルからの第２の干渉基準信号を除去した後に決定され、
前記ユーザ機器はさらに、
前記第２の近隣セルが前記期間内にデータを送信するか否かを判定する手段と、
前記第２の近隣セルが前記期間内にデータを送信すると判定された場合、前記除去された第２の干渉基準信号に基づいて、前記期間のためのチャネル状態フィードバック値を調節する手段と
を備える、［７］に記載のユーザ機器。
［９］  前記近隣セルが送信するであろうと判定する手段は、
前記近隣セルの半固定的なリソース区分情報を取得する手段と、
前記近隣セルが前記期間内にデータを送信することを示すインジケーションを、前記近隣セルのブロードキャスト信号から受信する手段と、
前記近隣セルに関して取得されたセル識別子に基づいて、前記近隣セルが前記期間内にデータを送信していると判定する手段と、
前記近隣セルの送信特性を検出する手段と
のうちの１つを備える、［７］に記載のユーザ機器。
［１０］  前記セル識別子に基づいて、前記近隣セルが送信するであろうと判定する手段は、
前記セル識別子に関連付けられた電力クラスを識別する手段と、
前記セル識別子に関連付けられた電力クラスを、サービス提供セル電力クラスと比較する手段と、
前記電力クラスと、前記サービス提供セル電力クラスとが、同じクラスであることに応じて実行可能であり、前記近隣セルを、前記期間内にデータを送信していると識別する手段と
を備える、［９］に記載のユーザ機器。
［１１］  前記調節されたチャネル状態フィードバック値を、サービス提供セルへ送信する手段、をさらに備える［７］に記載のユーザ機器。
［１２］  前記調節されたチャネル状態フィードバック値を用いて信号品質メトリックを生成する手段と、
前記信号品質メトリックをサービス提供セルへ送信する手段と、
をさらに備える［７］に記載のユーザ機器。
［１３］  無線ネットワークにおける無線通信のためのコンピュータ・プログラム製品であって、
記録されたプログラム・コードを有するコンピュータ読取可能な媒体を備え、
前記プログラム・コードは、
近隣セルからの干渉基準信号を除去した後に、チャネル状態フィードバック値を決定するためのプログラム・コードと、
前記近隣セルが期間内にデータを送信するであろうと判定するためのプログラム・コードと、
前記除去された干渉基準信号に基づいて、前記チャネル状態フィードバック値を調節することによって、前記期間のための、調節されたチャネル状態フィードバックを生成するためのプログラム・コードと
を備える、コンピュータ・プログラム製品。
［１４］  前記チャネル状態フィードバック値はさらに、第２の近隣セルからの第２の干渉基準信号を除去した後に決定され、
前記コンピュータ・プログラム製品はさらに、
前記第２の近隣セルが前記期間内にデータを送信するか否かを判定するためのプログラム・コードと、
前記第２の近隣セルが前記期間内にデータを送信すると判定された場合、前記除去された第２の干渉基準信号に基づいて、前記期間のためのチャネル状態フィードバック値を調節するためのプログラム・コードと
を備える、［１３］に記載のコンピュータ・プログラム製品。
［１５］  前記近隣セルが送信するであろうと判定するためのプログラム・コードは、
前記近隣セルの半固定的なリソース区分情報を取得するためのプログラム・コードと、
前記近隣セルが前記期間内にデータを送信することを示すインジケーションを、前記近隣セルのブロードキャスト信号から受信するためのプログラム・コードと、
前記近隣セルに関して取得されたセル識別子に基づいて、前記近隣セルが前記期間内にデータを送信していると判定するためのプログラム・コードと、
前記近隣セルの送信特性を検出するためのプログラム・コードと
のうちの１つを備える、［１３］に記載のコンピュータ・プログラム製品。
［１６］  前記セル識別子に基づいて、前記近隣セルが送信するであろうと判定するためのプログラム・コードは、
前記セル識別子に関連付けられた電力クラスを識別するためのプログラム・コードと、
前記セル識別子に関連付けられた電力クラスを、サービス提供セル電力クラスと比較するためのプログラム・コードと、
前記電力クラスと、前記サービス提供セル電力クラスとが、同じクラスであることに応じて実行可能であり、前記近隣セルを、前記期間内にデータを送信していると識別するためのプログラム・コードと
を備える、［１５］に記載のコンピュータ・プログラム製品。
［１７］  前記調節されたチャネル状態フィードバック値を、サービス提供セルへ送信するためのプログラム・コードをさらに備える、［１３］に記載のコンピュータ・プログラム製品。
［１８］  前記調節されたチャネル状態フィードバック値を用いて信号品質メトリックを生成するためのプログラム・コードと、
前記信号品質メトリックをサービス提供セルへ送信するためのプログラム・コードと、
をさらに備える［１３］に記載のコンピュータ・プログラム製品。
［２９］  無線通信のために構成されたユーザ機器（ＵＥ）であって、
少なくとも１つのプロセッサと、
前記少なくとも１つのプロセッサに接続されたメモリとを備え、
前記少なくとも１つのプロセッサは、
近隣セルからの干渉基準信号を除去した後に、チャネル状態フィードバック値を決定することと、
前記近隣セルが期間内にデータを送信するであろうと判定することと、
前記除去された干渉基準信号に基づいて、前記チャネル状態フィードバック値を調節することによって、前記期間のための、調節されたチャネル状態フィードバックを生成することと、
を実行するように構成された、ユーザ機器。
［２０］  前記チャネル状態フィードバック値はさらに、第２の近隣セルからの第２の干渉基準信号を除去した後に決定され、
前記少なくとも１つのプロセッサはさらに、
前記第２の近隣セルが前記期間内にデータを送信するか否かを判定することと、
前記第２の近隣セルが前記期間内にデータを送信すると判定された場合、前記除去された第２の干渉基準信号に基づいて、前記期間のためのチャネル状態フィードバック値を調節することと、
を実行するように構成された、［１９］に記載のユーザ機器。
［２１］  前記少なくとも１つのプロセッサが、前記近隣セルがデータを送信するであろうと判定するための構成は、
前記近隣セルの半固定的なリソース区分情報を取得することと、
前記近隣セルが前記期間内にデータを送信することを示すインジケーションを、前記近隣セルのブロードキャスト信号から受信することと、
前記近隣セルに関して取得されたセル識別子に基づいて、前記近隣セルが前記期間内にデータを送信していると判定することと、
前記近隣セルの送信特性を検出することと、
のうちの１つのための構成を備える、［１９］に記載のユーザ機器。
［２２］  前記少なくとも１つのプロセッサが、前記セル識別子に基づいて、前記近隣セルが送信するであろうと判定するための構成は、
前記セル識別子に関連付けられた電力クラスを識別することと、
前記セル識別子に関連付けられた電力クラスを、サービス提供セル電力クラスと比較することと、
前記電力クラスと、前記サービス提供セル電力クラスとが、同じクラスであることに応じて、前記近隣セルの送信ステータスを、前記期間内にデータを送信していると識別することと
のための構成を備える、［２１］に記載のユーザ機器。
［２３］  前記少なくとも１つのプロセッサはさらに、前記調節されたチャネル状態フィードバック値を、サービス提供セルへ送信するように構成された、［１９］に記載のユーザ機器。
［２４］  前記少なくとも１つのプロセッサはさらに、前記調節されたチャネル状態フィードバック値を用いて信号品質メトリックを生成し、前記信号品質メトリックをサービス提供セルへ送信するように構成された、［１９］に記載のユーザ機器。
【図１】
0005591958.tif 000007
【図２】
0005591958.tif 000008
【図３】
0005591958.tif 000009
【図４】
0005591958.tif 000010
【図５】
0005591958.tif 000011
【図６Ａ】
0005591958.tif 000012
【図６Ｂ】
0005591958.tif 000013
【図７】
0005591958.tif 000014